【手続補正書】
【提出日】平成19年3月15日(2007.3.15)
【手続補正１】
【補正対象書類名】明細書
【補正対象項目名】発明の名称
【補正方法】変更
【補正の内容】
【発明の名称】情報提供システム並びに提供媒体
【手続補正２】
【補正対象書類名】明細書
【補正対象項目名】特許請求の範囲
【補正方法】変更
【補正の内容】
【特許請求の範囲】
【請求項１】  少なくとも使用者を識別する個人情報を含むデータを保持可能なデータ保持体と、
データ保持体のデータの内容情報を監視して保持し、内容情報読み出し要求を受け取ると保持している内容情報を要求先に提供する第１センタと、
通信網と、
内容情報リクエストを受けると、上記第１センタに対して内容情報読み出し要求を出力して上記データ保持体の内容情報を要求し、内容情報が供給されると上記通信網に送信する第２センタと、
少なくも表示部と通信部を含み、通信部により上記内容情報リクエストを上記通信網を介して上記第２センタに送信し、通信網を介して上記第２センタから送信された上記データ保持体の内容情報を受信すると、当該内容情報を上記表示部に表示する通信端末と
を有する情報提供システム。
【請求項２】  上記通信端末は上記内容情報リクエストに加えて端末識別ＩＤを送信し、
上記第２センタは、受信した端末識別ＩＤとあらかじめ登録されている端末ＩＤとを照合し、合致したときに上記内容情報読み出し要求を上記第１センタに出力する
請求項１記載の情報提供システム。
【請求項３】  上記通信網を介して上記第１センタと上記データ保持体とのデータの授受を行う専用端末を有し、
上記第１センタは、上記通信網を介して入力したデータ保持体のデータに基づいて所定の処理を行い、保持しているデータを更新する
請求項１記載の情報提供システム。
【請求項４】  上記通信網を介して上記第１センタと上記データ保持体とのデータの授受を行う専用端末を有し、
上記第１センタは、上記通信網を介して入力したデータ保持体のデータに基づいて所定の処理を行い、保持しているデータを更新する
請求項２記載の情報提供システム。
【請求項５】  少なくとも使用者を識別する個人情報を含むデータを保持可能なデータ保持体のデータの内容情報を監視して保持する第１ステップと、
通信端末から送信された内容情報リクエストを受信する第２ステップと、
内容情報リクエストを受けると、内容情報読み出し要求により上記データ保持体の内容情報を得る第３ステップと、
得られた上記データ保持体の内容情報を上記通信端末に表示させるための情報として送信する第４ステップと
をコンピュータに実行させるプログラムを提供する提供媒体。
【請求項６】  上記第２ステップでは、上記内容情報リクエストに加えて端末識別ＩＤを受信し、
上記第３ステップでは、受信した端末識別ＩＤとあらかじめ登録されている端末ＩＤとを照合し、合致したときに上記内容情報読み出し要求により上記データ保持体の内容情報を得る
プログラムを提供する請求項５記載の提供媒体。
【請求項７】  少なくとも使用者を識別する個人情報を含むデータを保持可能なデータ保持体と、
通信網と、
上記通信網を介して少なくとも取引開始情報を受けると、認証応答確認要求を出し、応答信号を受けると上記通信網を介して入力したデータ保持体のデータに基づいて所定の処理を行い、少なくとも処理データを保持する第１センタと、
認証応答確認要求を受けると、あらかじめ登録した上記データ保持体の識別ＩＤに対応する端末を確認して、当該端末を上記通信網を介して呼び出し、通信端末から応答信号を受けると、当該応答信号を上記第１センタに供給する第２センタと、
少なくも通信部を含み、認証のための呼び出しを受けて、上記応答信号を送信可能な通信端末と
を有する情報提供システム。
【請求項８】  上記第１センタは、取引開始情報に加えて上記データ保持体の識別ＩＤを受け、当該識別ＩＤの照合を行って、肯定的な照合結果が得られると、上記第２センタに対して認証応答確認要求を出す
請求項７記載の情報提供システム。
【請求項９】  上記通信端末は、上記応答信号に加えて端末識別ＩＤを送信し、
上記第２センタは、受信した端末識別ＩＤとあらかじめ登録されている端末ＩＤとを照合し、合致したときに受信した応答信号を上記第１センタに出力する
請求項７記載の情報提供システム。
【請求項１０】  上記通信端末は、上記応答信号に加えて端末識別ＩＤを送信し、
上記第２センタは、受信した端末識別ＩＤとあらかじめ登録されている端末ＩＤとを照合し、合致したときに受信した応答信号を上記第１センタに出力する
請求項８記載の情報提供システム。
【請求項１１】  上記第２センタは、通信端末の位置情報に基づい応答信号の第１センタへの出力を制御する
請求項７記載の情報提供システム。
【請求項１２】  上記第２センタは、通信端末の位置情報に基づい応答信号の第１センタへの出力を制御する
請求項８記載の情報提供システム。
【請求項１３】  上記第１センタは、データ保持体のデータの内容情報を監視して保持し、内容情報読み出し要求を受け取ると保持している内容情報を要求先に提供し、
上記第２センタは、内容情報リクエストを受けると、上記第１センタに対して内容情報読み出し要求を出力して上記データ保持体の内容情報を要求し、内容情報が供給されると上記通信網に送信し、
上記通信端末は、少なくも表示部をさらに含み、通信部により上記内容情報リクエストを上記通信網を介して上記第２センタに送信し、通信網を介して上記第２センタから送信された上記データ保持体の内容情報を受信すると、当該内容情報を上記表示部に表示する
請求項７記載の情報提供システム。
【請求項１４】  少なくとも取引開始情報を受けると、認証応答確認要求を出す第１ステップと、
認証応答確認要求を受けると、あらかじめ登録した少なくとも使用者を識別する個人情報を含むデータを保持可能なデータ保持体の識別ＩＤに対応する通信端末を確認して、認証のために当該通信端末を呼び出す第２ステップと、
認証のための呼び出しを受けて通信端末から送信された応答信号を受信する第３ステップと、
応答信号を受けると入力したデータ保持体のデータに基づいて所定の処理を行い、少なくとも処理データを保持する第４ステップと
をコンピュータに実行させるプログラムを提供する提供媒体。
【請求項１５】  上記第１ステップでは、取引開始情報に加えて上記データ保持体の識別ＩＤを受け、当該識別ＩＤの照合を行って、肯定的な照合結果が得られると、上記認証応答確認要求を出す
プログラムを提供する請求項１４記載の提供媒体。
【請求項１６】  上記第３ステップでは、上記応答信号に加えて端末識別ＩＤを送信し、
上記第４ステップでは、受信した端末識別ＩＤとあらかじめ登録されている端末ＩＤとを照合し、合致したときに応答信号を受けて入力したデータ保持体のデータに基づいて所定の処理を行い、少なくとも処理データを保持する
プログラムを提供する請求項１４記載の提供媒体。
【請求項１７】  上記第３ステップでは、上記応答信号に加えて端末識別ＩＤを送信し、
上記第４ステップでは、受信した端末識別ＩＤとあらかじめ登録されている端末ＩＤとを照合し、合致したときに応答信号を受けて入力したデータ保持体のデータに基づいて所定の処理を行い、少なくとも処理データを保持する
プログラムを提供する請求項１５記載の提供媒体。
【請求項１８】  上記第４ステップでは、通信端末の位置情報を確認し、あらかじめ登録された位置に通信端末があると判断した場合に、応答信号を受けて入力したデータ保持体のデータに基づいて所定の処理を行い、少なくとも処理データを保持する
プログラムを提供する請求項１４記載の提供媒体。
【請求項１９】  上記第４ステップでは、通信端末の位置情報を確認し、あらかじめ登録された位置に通信端末があると判断した場合に、応答信号を受けて入力したデータ保持体のデータに基づいて所定の処理を行い、少なくとも処理データを保持する
プログラムを提供する請求項１５記載の提供媒体。
【手続補正３】
【補正対象書類名】明細書
【補正対象項目名】０００１
【補正方法】変更
【補正の内容】
【０００１】
【発明の属する技術分野】
本発明は、たとえば商取引等に用いられるＩＣカード等の識別カード使用者を識別する個人情報等を含むデータを、決済センタ等の管理センタと交信して決済や情報の更新等を行う情報提供システム並びに提供媒体に関するものである。
【手続補正４】
【補正対象書類名】明細書
【補正対象項目名】０００８
【補正方法】変更
【補正の内容】
【０００８】
本発明は、かかる事情に鑑みてなされたものであり、その第１の目的は、特別なビューワ等の専用装置を用いることなく、また普段は必要もない専用装置を持ち歩かなくとも、容易にＩＣカード等のデータ保持体のデータの内容を確認することができる情報提供システム並びに提供媒体を提供することにある。
【手続補正５】
【補正対象書類名】明細書
【補正対象項目名】０００９
【補正方法】変更
【補正の内容】
【０００９】
また、本発明の第２の目的は、所定の決済箇所で、認証情報等を覗き見されたり盗まれたりすることを防止でき、不正使用を防止でき、安全性高く決済を行うことができる情報提供システム並びに提供媒体を提供することにある。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】